(57)【要約】      （修正有）【課題】防塵、防水構造を備えた電子機器冷却用モーターファンの固定子の放熱効果を向上させたモーターの放熱構造を提供する。【解決手段】ファンのモーター固定子のケイ素鋼板１０３，コイル１０４、回路板１２を覆う防塵、防水用被覆ユニット１１の底端部に突出した凸伸部１１３を設けて、ファン２２２により矢印のように送風される気流中において放熱させることにより、防塵、防水用被覆ユニット１１内で発生するモーター固定子からの発熱を効果的に冷却する。【選択図】図３
0003165790.tif 000002
【実用新案登録請求の範囲】
【請求項１】
空気流路の外周を構成するケーシング内に回転可能に収容されたファンのローターマグネットに相対して、ケーシング中央の基座上にモーター固定子を配置すると共に、
該モーター固定子を覆う防水および防塵用の被覆ユニットにおいて、
該モーター固定子の固定子を覆う第１の部分、モーター固定子の底端に接続された回路板を覆う第２の部分及び該第２の部分から延長して形成された凸伸部を設けて、ファンにより送風されるケーシング内の空気流路に向けて突出させ、該凸伸部により該被覆ユニット内のモーター固定子の熱を該凸伸部により放熱せしめることを特徴とする防水および防塵機能を有するモーターの放熱構造。
【請求項２】
前記凸伸部は、前記第２の部分に沿って連続的に取り巻くように設けられていることを特徴とする請求項１に記載の防水および防塵機能を有するモーターの放熱構造。
【請求項３】
前記凸伸部は、前記第２の部分に沿って断続的に取り巻くように設けられ、二つの前記凸伸部の間に凹部が設けられていることを特徴とする請求項１に記載の防水および防塵機能を有するモーターの放熱構造。
【請求項４】
ファンの気流を吸引、排出する第１の開口および第２の開口を備えると共に該第２の開口中央にモーター固定子を支持する基座を配置したケーシングと、
前記ケーシング内の前記複数の前記第１の開口および第２の開口を経由する空気流路内に配置され、こしき外周に複数のファンを備えると共にこしき内周面にローターマグネットを配置したローターと、
前記基座上に設けられて、回路板に接続し、ローターマグネットに相対する固定子と、
該固定子を覆う第１の部分、該回路板を覆う第２の部分および該第２の部分から突出して形成された凸伸部を有し、該凸伸部を前記空気流路内に向けて延長して突出させて設けた被覆ユニットからなることを特徴とするファン装置。
【請求項５】
前記凸伸部は、前記第２の部分に沿って連続的に取り巻くように設けられていることを特徴とする請求項４に記載のファン装置。
【請求項６】
前記凸伸部は、前記第２の部分に沿って断続的に取り巻くように設けられ、二つの前記凸伸部の間に凹部が設けられていることを特徴とする請求項４に記載のファン装置。
【請求項７】
前記基座は、前記ローターの回転軸を支持する軸筒および複数の接続部を有し、前記軸筒は基座の中央から前記第１の開口に向かって延伸し、前記接続部は前記基座の外周縁から前記ケーシングの内側に向かって延伸して前記ケーシングの内側に接続していることを特徴とする請求項４に記載のファン装置。
【請求項８】
前記こしきは、内側の頂面に回転軸を接続し、前記回転軸は前記軸筒内に挿着されていることを特徴とする請求項４に記載のファン装置。
【請求項９】
前記ローターマグネットは、前記こしきの内側に配置された鉄片、および前記鉄片の内側に前記固定子に対応するように配置された環状マグネットを有することを特徴とする請求項４または８に記載のファン装置。
【考案の詳細な説明】
【技術分野】
【０００１】
本考案は、防水および防塵機能を有するモーターの放熱構造およびファン装置に関し、特に、ファンが吸引した空気を固定子の被覆ユニットに吹き付けて放熱を行なうモーターの放熱構造およびファン装置に関する。
【背景技術】
【０００２】
従来のファン装置は、発熱デバイスに対して強制冷却を行なうのに最適で、放熱効果も最良であった。従来のファン装置は、ケーシング、固定子およびローターを備え、固定子およびローターがフレーム内に配置されている。固定子は、コイル、ケイ素鋼板およびフレームを有し、回路板に接続している。これにより、固定子およびローターが界磁を発生し、ローターが回転する。固定子およびローターは、直接空気に接触しているため、空気中の水分および粉塵が付着または堆積して損傷してしまうおそれがあった。
【０００３】
固定子の表面に防護層を塗り付け、固定子と空気とを隔離して防水および防塵効果を有することにより、従来技術を改善したものもあったが、以下のような問題が起きてしまった。固定子が発生した熱量が防護層内に溜まり、外部に放出されないため、熱により固定子が損傷してしまうことであった。
【先行技術文献】
【特許文献】
【０００４】
【特許文献１】特開２００５−３４７６７１号公報
【特許文献２】特開２００８−２９７９３９号公報
【考案の概要】
【考案が解決しようとする課題】
【０００５】
本考案の第１の目的は、ファンが吸引した空気を固定子の被覆ユニットに吹き付けて放熱を行なう防水および防塵機能を有するモーターの放熱構造を提供することにある。
本考案の第２の目的は、ファンに対応する凸伸部が第２の部分に沿って連続的に取り巻くように設けられ、二つの凸伸部の間に凹部が設けられているため、空気との接触面積が増加し、被覆ユニットの放熱能力を向上させ、固定子および回路板に対する放熱効果を増加させる防水および防塵機能を有するモーターの放熱構造を提供することにある。
【０００６】
上述の目的を達成するため、本考案は、防水および防塵機能を有するモーターの放熱構造およびファン装置を提供する。防水および防塵機能を有するモーターの放熱構造およびファン装置は、固定子および被覆ユニットから成る。固定子は、基座上に設けられ、回路板に接続している。被覆ユニットは、固定子を覆う第１の部分、回路板を覆う第２の部分および該回路板を覆う第２の部分から延長された凸伸部を有する。第１の部分は、固定子を覆い、第２の部分は、回路板を覆い、凸伸部は、第２の部分から外側に向かって延伸し、少なくとも一つのファンと対応している。
【考案の効果】
【０００７】
本考案の防水および防塵機能を有するモーターの放熱構造およびファン装置は、被覆ユニットがファンに対応する凹部を有することにより、空気を吸引し、凸伸部に吹き付けて被覆ユニットに対して放熱を行ない、従来技術において、固定子の熱量が保護層内に溜まり、外部に放出されなかった問題を改善することができる。また、被覆ユニットは、ファンに対応する凹部を有することにより、空気を吸引し、凸伸部に吹き付けて被覆ユニットに対して放熱を行なう。そのため、従来技術において、固定子の熱量が保護層内に溜まり、外部に放出されなかった問題を改善することができる。
【図面の簡単な説明】
【０００８】
【図１】本考案の一実施形態による防水および防塵機能を有するモーターの放熱構造およびファン装置の固定子および被覆ユニットを示す正面図である。
【図２】本考案の一実施形態による防水および防塵機能を有するモーターの放熱構造およびファン装置を示す分解断面図である。
【図３】本考案の一実施形態による防水および防塵機能を有するモーターの放熱構造およびファン装置を示す断面図である。
【図４】本考案の被覆ユニットを示す平面図である。
【図５】異なる形態の被覆ユニットを示す平面図である。
【図６】さらに異なる形態の被覆ユニットを示す平面図である。
【考案を実施するための形態】
【０００９】
以下、本考案の実施形態を図面に基づいて説明する。
【００１０】
図１を参照する。図１は、本考案の一実施形態による防水および防塵機能を有するモーターの放熱構造およびファン装置の固定子および被覆ユニットを示す正面図である。図１に示すように、本考案の防水および防塵機能を有するモーターの放熱構造およびファン装置は、固定子１０および被覆ユニット１１を備える。固定子１０は、片側が回路板１２に接続し、被覆ユニット１１は、被覆ユニット１１および回路板１２の外側を覆っている。
【００１１】
被覆ユニット１１は、第１の部分１１１、第２の部分１１２および凸伸部１１３を有する。第１の部分１１１は、固定子１０を覆い、第２の部分１１２は、回路板１２を覆い、凸伸部１１３は、第２の部分１１２から外側に向かって延伸している。
【００１２】
図２および図３を参照する。図２は、本考案の一実施形態による防水および防塵機能を有するモーターの放熱構造およびファン装置を示す分解断面図である。図３は、本考案の一実施形態による防水および防塵機能を有するモーターの放熱構造およびファン装置を示す断面図である。図２および図３に示すように、固定子１０および被覆ユニット１１は、ファン装置２内に配置される。ファン装置２は、ケーシング２１、ローター２２、固定子１０および被覆ユニット１１を有する。ローター２２、固定子１０および被覆ユニット１１は、ケーシング２１内に配置される。ケーシング２１は、基座２１１、第１の開口２１２および第２の開口２１３を有する。第１の開口２１２は、第２の開口２１３に相対し、基座２１１は、第２の開口２１３上でケーシング２１の中央部に当たる位置に配置される。
【００１３】
基座２１１は、軸筒２１１１および接続部２１１２を有する。軸筒２１１１は、基座２１１の中央から第１の開口２１２に向かって延伸している。接続部２１１２は、基座２１１の外周縁に沿い、ケーシング２１の内側に向かって延伸し、ケーシング２１の内側に接続して基座２１１を支持している。
【００１４】
ローター２２は、こしき２２１およびファン２２２を有する。こしき２２１は、内側に回転軸２２３およびローターマグネット２４を有する。回転軸２２３は、一端がこしき２２１の内側の頂面に接続し、もう一端が軸筒２１１１内に挿着されている。これにより、ローター２２がケーシング２１内に枢接される。ローターマグネット２４は、こしき２２１の内側に配置された鉄片２４１、および鉄片２４１の内側に固定子１０に相対するように配置された環状マグネット２４２を有する。
【００１５】
固定子１０および回路板１２は、軸筒２１１１の外側に嵌設されて基座２１１上に配置される。固定子１０は、ローターマグネット２４の環状マグネット２４２に対応している。固定子１０は、上部フレーム１０１および下部フレーム１０２を有するフレームユニットを含む。ケイ素鋼板ユニット１０３は、複数のケイ素鋼板が重ねられてなり、ローターマグネット２４に相対するように上部フレーム１０１と下部フレーム１０２との間に配置されている。コイル１０４は、上部フレーム１０１、下部フレーム１０２およびケイ素鋼板ユニット１０３を取り巻き、回路板１２に接続している。
【００１６】
被覆ユニット１１は、第２の部分１１２がこしき２２１の底端に対応し、凸伸部１１３が第２の部分１１２から外部に向かって延伸し、ファン２２２に相対している。ローター２２が回転すると、ファン２２２が第１の開口２１２から空気を第２の開口２１３に向けて流動させるが、一部分の空気は、凸伸部１１３に向かって流動して、第２の開口２１３から外部に流出する。
【００１７】
図４〜６を参照する。図４は、本考案の被覆ユニットを示す平面図である。図５は、異なる形態の被覆ユニットを示す平面図である。図６は、さらに異なる形態の被覆ユニットを示す平面図である。図４〜６に示すように、凸伸部１１３は、第２の部分１１２に沿って連続的に取り巻くように設けられている（図４参照）。凸伸部１１３は、第２の部分１１２に沿って断続的に取り巻くように設けられてもよく（図５参照）、凸伸部１１３および凹部１１４は、それぞれ円弧状を呈している。図６においては、凸伸部１１３および凹部１１４は、それぞれ歯車状を呈している。以上の構造により、空気との接触面積を増加させることができる。
【００１８】
被覆ユニット１１は、ファン２２２に対応する凹部１１４を有することにより、空気を吸引し、凸伸部１１３に吹き付けて被覆ユニット１１に対して放熱を行なう。そのため、従来技術において、固定子の熱量が保護層内に溜まり、外部に放出されなかった問題を改善することができる。
【００１９】
凸伸部１１３は、第２の部分１１２に沿って連続的に取り巻くように設けられ、二つの凸伸部１１３の間に凹部１１４が設けられているため、空気との接触面積を増加させ、被覆ユニット１１の放熱能力を向上させることにより、固定子１０および回路板１２に対する放熱効果を増加させることができる。
【００２０】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００２１】
２  ファン装置
１０  固定子
１１  被覆ユニット
１２  回路板
２１  ケーシング
２２  ローター
２４  ローターマグネット
１０１  上部フレーム
１０２  下部フレーム
１０３  ケイ素鋼板ユニット
１０４  コイル
１１１  第１の部分
１１２  第２の部分
１１３  凸伸部
１１４  凹部
２１１  基座
２１２  第１の開口
２１３  第２の開口
２２１  こしき
２２２  ファン
２２３  回転軸
２４１  鉄片
２４２  環状マグネット
２１１１  軸筒
２１１２  接続部
【図１】
0003165790.tif 000003
【図２】
0003165790.tif 000004
【図３】
0003165790.tif 000005
【図４】
0003165790.tif 000006
【図５】
0003165790.tif 000007
【図６】
0003165790.tif 000008